(57)【要約】【課題】  １つのアンテナにより、音声通信時及び電子メールなどのデータ通信時の両方において最適なアンテナ特性を得ることのできる無線通信装置の提供を目的とする。【解決手段】  アンテナ１は、アンテナ給電点２ａ，２ｂを有する。切替スイッチ３ａは、アンテナ給電点２ａ，２ｂとのいずれかと、アンテナ整合回路５とを接続可能である。姿勢検知センサ４は、自己の姿勢を検知し、検知した検知結果に基づいて、切替スイッチ３ａにアンテナ給電点２ａ，２ｂのいずれかとアンテナ整合回路５とを接続させる。この場合、接続情報記憶部８は、給電点２ａ，２ｂとアンテナ整合回路５との接続と姿勢検知センサ４の検知する姿勢との関係を示す接続情報を格納している。姿勢検知センサ４は、接続情報を参照してアンテナ給電点２ａ，２ｂのいずれかとアンテナ整合回路５とを切替スイッチに接続させる。【選択図】        図２
2006166235.tif 000002
【特許請求の範囲】
【請求項１】
複数の給電点を有するアンテナと、
前記アンテナのインピーダンスを調整する整合部と、
自己の姿勢を検知し、検知した検知結果に基づいて、前記複数の給電点のいずれかと前記整合部とを接続する姿勢検知部と
を備えたことを特徴とする無線通信装置。
【請求項２】
前記姿勢検知部は、
前記複数の給電点のいずれかと前記整合部とを接続可能な切替スイッチと、
自己の姿勢を検知し、検知した検知結果に基づいて、前記切替スイッチに前記複数の給電点のいずれかと前記整合部とを接続させる姿勢検知センサと
を備えたことを特徴とする請求項１記載の無線通信装置。
【請求項３】
給電点を有するアンテナと、
前記アンテナのインピーダンスを調整する複数の整合部と、
自己の姿勢を検知し、検知した検知結果に基づいて、前記給電点と前記複数の整合部のいずれかとを接続する姿勢検知部と
を備えたことを特徴とする無線通信装置。
【請求項４】
前記姿勢検知部は、
前記給電点と前記複数の整合部のいずれかとを接続可能な切替スイッチと、
自己の姿勢を検知し、検知した検知結果に基づいて、前記切替スイッチに前記給電点と前記複数の整合部のいずれかとを接続させる姿勢検知センサと
を備えたことを特徴とする請求項３記載の無線通信装置。
【請求項５】
複数の給電点を有するアンテナと、
前記アンテナのインピーダンスを調整する複数の整合部と、
自己の姿勢を検知し、検知した検知結果に基づいて、前記複数の給電点のいずれかと前記複数の整合部のいずれかとを接続する姿勢検知部と
を備えたことを特徴とする無線通信装置。
【請求項６】
前記姿勢検知部は、
前記複数の給電点のいずれかと前記複数の整合部のいずれかとを接続可能な切替スイッチと、
自己の姿勢を検知し、検知した検知結果に基づいて、前記切替スイッチに前記複数の給電点のいずれかと前記複数の整合部のいずれかとを接続させる姿勢検知センサと
を備えたことを特徴とする請求項５記載の無線通信装置。
【請求項７】
前記姿勢検知部は、
自己の姿勢に応じて接続するべき前記給電点と前記整合部との接続関係を示す接続情報を格納した接続情報格納部を備え、前記検知結果と前記接続情報格納部に格納された前記接続情報とに基づいて、前記給電点と前記整合部とを接続することを特徴とする請求項１または３または５記載の無線通信装置。
【発明の詳細な説明】
【技術分野】
【０００１】
この発明は、ＲＦ回路が整合回路を介してアンテナと接続されている携帯電話等の無線通信装置に関する。
【背景技術】
【０００２】
従来の携帯電話機においては、筐体上部に第１アンテナと、筐体ヒンジ付近に第２アンテナの２つのアンテナを配置していた。そして、２つのアンテナを切り替え可能なスイッチを備え、該スイッチを切り替えることにより、音声通信時には第２アンテナを動作させ、データ通信時には第１アンテナを動作させる構成となっていた（例えば、特許文献１参照）。
【特許文献１】特開２００３―１０１６２３号公報
【発明の開示】
【発明が解決しようとする課題】
【０００３】
従来の例では、アンテナを２つ配置しなければならなかった。アンテナを２つ配置するために筐体に搭載領域の確保が必要であった。また、アンテナをＲＦ回路と離れた位置に配置することにより、伝送損失が大きくなってしまうなどの問題点があった。
【０００４】
この発明は上記のような問題点を解決するためになされたもので、１つのアンテナにより、音声通信時及び電子メールなどのデータ通信時の両方において最適なアンテナ特性を得ることのできる無線通信装置の提供を目的とする。
【課題を解決するための手段】
【０００５】
本発明の無線通信装置は、
複数の給電点を有するアンテナと、
前記アンテナのインピーダンスを調整する整合部と、
自己の姿勢を検知し、検知した検知結果に基づいて、前記複数の給電点のいずれかと前記整合部とを接続する姿勢検知部と
を備えたことを特徴とする。
【発明の効果】
【０００６】
本発明により、音声通信時及び電子メールなどのデータ通信時との双方の場面において、一つのアンテナについて最適なアンテナ特性を得る無線通信装置を実現することができる。
【発明を実施するための最良の形態】
【０００７】
実施の形態１．
図１〜図４を用いて実施の形態１を説明する。実施の形態１は、姿勢を検知する姿勢検知センサを備え、検知した姿勢に応じてアンテナの給電点を切り替える携帯無線機（無線通信装置）に関する。携帯無線機とは、例えば、音声通信と電子メール等のデータ通信とが可能である携帯電話である。以下では、携帯電話機を想定する。
【０００８】
図１は、実施の形態１に係る携帯無線機１００の構成を示すブロック図である。図１に示すように、携帯無線機１００は、電波を送受信するアンテナ１、アンテナと基板回路が接続する接点であるアンテナ給電点２ａ，２ｂ、姿勢を検知する姿勢検知部１０、アンテナのインピーダンスを調整するアンテナ整合回路５（整合部）、電波の送受信を制御するＲＦ回路６とを備える。
【０００９】
また、姿勢検知部１０は、回路を切り替える切替スイッチ３ａと、自己の姿勢を検知し、検知した検知結果に基づき切替スイッチ３ａを切り替える姿勢検知センサ４と、接続情報を格納する接続情報格納部８とを備えている。なお、接続情報格納部８は、姿勢検知センサ４の内部に備えても構わない。
【００１０】
次に、図２〜図４を用いて動作を説明する。図２は、図１に示す携帯無線機１００を筐体７に内蔵した状況を説明する図である。図２において、姿勢検知センサ４は、筐体７に固定して配置されている。従って、姿勢検知センサ４が検知する姿勢は筐体７の姿勢である。
【００１１】
図３は、ユーザが右手で携帯無線機１００を持った状態で通話を行っている様子を示す図である。図３（ａ）は、ユーザ側面から見た図である。また図３（ｂ）は、ユーザ上部から見た図である。図４は、ユーザが左手で携帯無線機１００を持った状態で通話を行っている様子を示す図である。図４（ａ）はユーザ側面から見た図である。また図４（ｂ）はユーザ上部から見た図である。
【００１２】
ＲＦ回路６に入力された信号は、ＲＦ回路６において変調処理がなされ、アンテナ整合回路５を通り切替スイッチ３ａに入力される。ここで、筐体７の姿勢を検知した姿勢検知センサ４は、切替スイッチ３ａを駆動させ、アンテナ給電点２ａまたはアンテナ給電点２ｂを切り替えてアンテナ１に信号が伝達される。この場合、アンテナ給電点２ａまたはアンテナ給電点２ｂのいずれに切り替えるかについては、接続情報格納部８が予め接続情報として格納している。すなわち、接続情報格納部８は、姿勢検知センサ４の姿勢に応じて接続するべき給電点とアンテナ整合回路との接続関係を示す接続情報を格納している。姿勢検知センサ４は、検知した姿勢と接続情報格納部８の格納する接続情報とに基づき切替スイッチ３ａを切り替えることにより、アンテナ整合回路５をアンテナ給電点２ａまたはアンテナ給電点２ｂのいずれかと接続する。なお、検知した姿勢によっては切替スイッチ３ａを切り替えることなく接続状態を維持する場合もある。
【００１３】
次に図３、図４を用いて具体的に説明する。図３（ａ）では、姿勢検知センサ４は筐体７が「左」に傾いていることを検知する。図３（ｂ）で示すように、姿勢検知センサ４は、筐体７と人体とが接している部分から離れた位置にあるアンテナ給電点２ａを選択するように切替スイッチ３ａを駆動させる。
【００１４】
図４（ａ）では、姿勢検知センサ４は筐体７が「右」に傾いていることを検知する。図４（ｂ）で示すように、姿勢検知センサ４は、筐体７と人体とが接している部分から離れた位置にあるアンテナ給電点２ｂを選択するように切替スイッチ３ａを駆動させる。
【００１５】
以上のように実施の形態１に係る携帯無線機１００は、筐体の姿勢を検知し、検知した検知結果に基づいて、複数の給電点のいずれかとアンテナ整合回路とを接続する姿勢検知部を備えたので、筐体７と人体とが接している部分からアンテナ給電点２ａまたはアンテナ給電点２ｂを離すことにより、筐体に流れる電流による電界が集中する部分を人体から離すことができ、通話時におけるアンテナ特性の劣化を防ぐことができる。
【００１６】
以上のように実施の形態１に係る携帯無線機１００は、接続情報格納部を備えたので、検知した姿勢に応じた給電点を選択することができる。
【００１７】
また、給電回路を切り替えることにより、アンテナまでの線路長が変化し放射パターンも変化する。そのため、筐体のそれぞれの姿勢で最適な放射パターンを選択することができ、通話時だけでなくデータ通信時におけるアンテナ特性の劣化を防ぐことができる。
【００１８】
実施の形態２．
図５〜図９を用いて実施の形態２を説明する。実施の形態１が姿勢検知センサ４の検知結果に基づきアンテナ給電点を切り替えたのに対し、実施の形態２は、姿勢検知センサ４の検知結果に基づいて、２つのアンテナ整合回路を切り替える実施形態である。
【００１９】
上記実施の形態１の携帯無線機１００は、姿勢検知センサ４により筐体７の傾きを検出することにより、アンテナ給電点２ａ、２ｂを切り替えていた。前記のように、右手で保持されて通話している場合、あるいは左手で保持されて通話している場合の姿勢を姿勢検知センサ４で検知し、その検知結果に応じてアンテナ給電点２ａ、２ｂを切り替えていた。これにより、アンテナ１の放射パターンを変化させることができ、あるいは人体からの影響を少なくすることができた。
【００２０】
しかし、２系統のアンテナ給電点を切り替えることとは別に、２系統のアンテナ整合回路を切り替えることにより、アンテナ１の放射パターンを変化させることも可能である。以下に説明する実施の形態２に係る携帯無線機２００は、筐体７の傾きに応じて２系統のアンテナ整合回路を切り替え、アンテナの放射パターンを変化させる構成である。
【００２１】
図５は実施の形態２に係る携帯無線機２００の構成を示すブロック図である。図５において、携帯無線機２００は、２系統のアンテナ整合回路５ａ、５ｂを備える。このアンテナ整合回路５ａ、５ｂは、整合回路で使用されるコンデンサやインダクタの値や、整合回路のパターン構成、位相調整回路の有無などがそれぞれ違う設定値になるように構成されている。切替スイッチ３ｂは、実施の形態１の切替スイッチ３ａと構成が異なっている。また、アンテナ１はアンテナ給電点２ｃの一つのみである。
【００２２】
図６は、図５に示す携帯無線機２００の構成を筐体７に内蔵した状況を示す図である。図７は、図５に示した携帯無線機２００の外観を示す図である。図５に示すように携帯無線機２００は、表示部側２０１と操作ボタン側２０２とに分かれる折りたたみ式である。
【００２３】
次に動作について説明する。アンテナ１に接続されるアンテナ給電点２ｃから配線された切替スイッチ３ｂに姿勢検知センサ４を接続している。そして、姿勢検知センサ４が筐体７の傾きを検知するのに応じて、姿勢検知センサ４は切替スイッチ３ｂを駆動させる。これにより姿勢検知センサ４は、アンテナ１と、アンテナ整合回路５ａ、５ｂのいずれかと、ＲＦ回路６とを接続する。
【００２４】
アンテナ整合回路５ａ、５ｂについては、図８に示すような電子メールなどのデータ通信時と、図９に示すような通話による音声通信時とにおいて、いずれの場合も最適な放射パターンとなるような別々のアンテナ整合回路を用意する。
【００２５】
例えば、図８のように電子メールなどのデータ通信を行うために筐体７を「水平方向」に傾けた際に、その傾きを姿勢検知センサ４で感知する。そして、姿勢検知センサ４は、データ通信時に最適なアンテナ整合回路５ａまたはアンテナ整合回路５ｂに切り替えるように切替スイッチ３ｂを制御する。
【００２６】
また、図９のように音声通信を行う際に筐体７を「垂直方向」に傾けた際には、姿勢検知センサ４は、データ通信の場合とは別のアンテナ整合回路５ａまたはアンテナ整合回路５ｂに切り替えるように切替スイッチ３ｂを制御する。
【００２７】
例えば、図８に示すような電子メールなどのデータ通信時には、データ通信時の状態において水平面の利得が高くなるような放射パターンになるように「アンテナ整合回路５ａ」を設定する。そして、姿勢検知センサ４が、図８（ａ）の姿勢と検知した場合には、アンテナ整合回路５ａに切り替える接続情報を接続情報格納部８に格納しておく。
【００２８】
一方、図９に示すような音声通信時には、音声通信時の状態において水平面の利得が高くなるような放射パターンになるように「アンテナ整合回路５ｂ」を設定する。そして、姿勢検知センサ４が、図９（ａ）の姿勢と検知した場合には、アンテナ整合回路５ｂに切り替える接続情報を接続情報格納部８に格納しておく。これによりデータ通信時と音声通信時の両方においてアンテナ利得を向上することができる。
【００２９】
以上のように実施の形態２の携帯無線機２００は、自己の姿勢を検知し、検知した検知結果に基づき複数のアンテナ整合回路のいずれかとアンテナ給電点とを接続する姿勢検知部を備えたので、データ通信時と音声通信時のいずれにおいても、アンテナ利得を向上することができる。
【００３０】
以上のように実施の形態２に係る携帯無線機２００は、接続情報格納部を備えたので、検知した姿勢に応じたアンテナ整合回路を選択することができる。
【００３１】
実施の形態３．
次に図１０を用いて実施の形態３を説明する。実施の形態３は、複数のアンテナ給電点のいずれかと、複数のアンテナ整合回路のいずれかとを接続する実施形態である。
【００３２】
図１０は、実施の形態３に係る携帯無線機３００の構成示す図である。実施の形態１の携帯無線機１００を示す図２に対応する。図１０に示すように、携帯無線機３００では、実施の形態１と同様にアンテナ１が２つのアンテナ給電点２ａ，２ｂを有し、また実施の形態２と同様に２系統のアンテナ整合回路５ａ，５ｂを有する。切替スイッチ３ｃは、２つのアンテナ給電点２ａ，２ｂと、２つのアンテナ整合回路５ａ，５ｂとについて４通りの接続のうちいずれかの接続を行なう。図１０ではアンテナ給電点２ａとアンテナ整合回路５ｂとが接続されている。
【００３３】
携帯無線機３００において、姿勢検知センサ４は、筐体７の姿勢を検知し、検知した検知結果に基づいて、複数のアンテナ給電点２ａ，２ｂのいずれかと複数のアンテナ整合回路５ａ，５ｂのいずれかとを切替スイッチ３ｃに接続させる。接続させるべき組み合わせは、実施の形態１と同様、接続情報格納部８に格納しておく。
【００３４】
以上のように実施の形態３の携帯無線機３００は、筐体７の姿勢を検知し、検知した検知結果に基づいて、複数のアンテナ給電点のいずれかと複数のアンテナ整合回路のいずれかとを接続する姿勢検知部を備えたので、きめ細かくアンテナ利得を制御できる。
【００３５】
以上のように実施の形態１に係る携帯無線機１００は、接続情報格納部を備えたので、検知した姿勢に応じて給電点とアンテナ整合回路との接続を選択することができる。
【図面の簡単な説明】
【００３６】
【図１】実施の形態１における、携帯無線機１００の構成を示すブロック図である。
【図２】実施の形態１における、携帯無線機１００を筐体７に内蔵した状況を説明する図である。
【図３】実施の形態１における、ユーザが右手で携帯無線機１００を持った状態で通話を行っている様子を示す図である。
【図４】実施の形態１における、ユーザが左手で携帯無線機１００を持った状態で通話を行っている様子を示す図である。
【図５】実施の形態２における、携帯無線機２００の構成を示すブロック図である。
【図６】実施の形態２における、携帯無線機２００を筐体７に内蔵した状況を説明する図である。
【図７】実施の形態２における、携帯無線機２００の外観を示す図である。
【図８】実施の形態２における、データ通信時を示す図である。
【図９】実施の形態２における、音声通信時を示す図である。
【図１０】実施の形態３における、携帯無線機３００の構成を示す図である。
【符号の説明】
【００３７】
１  アンテナ、２ａ，２ｂ，２ｃ  アンテナ給電点、３ａ，３ｂ，３ｃ  切替スイッチ、４  姿勢検知センサ、５，５ａ，５ｂ  アンテナ整合回路、６  ＲＦ回路、７  筐体、８  接続情報格納部、１０  姿勢検知部、１００，２００，３００  携帯無線機。
【図１】
2006166235.tif 000003
【図２】
2006166235.tif 000004
【図３】
2006166235.tif 000005
【図４】
2006166235.tif 000006
【図５】
2006166235.tif 000007
【図６】
2006166235.tif 000008
【図７】
2006166235.tif 000009
【図８】
2006166235.tif 000010
【図９】
2006166235.tif 000011
【図１０】
2006166235.tif 000012